【誤訳訂正書】
【提出日】平成28年2月10日(2016.2.10)
【誤訳訂正１】
【訂正対象書類名】明細書
【訂正対象項目名】全文
【訂正方法】変更
【訂正の内容】
【発明の詳細な説明】
【発明の名称】複合メディアコンテンツの提示方法およびその方法を実行する提示システム
【技術分野】
【０００１】
（関係出願）
本発明は、２０１２年９月１３日付提出の台湾出願第１０１１３３４２６号の優先権を主張する。
【０００２】
（発明の背景）
（１．発明の分野）
本発明は、提示方法に関し、特に複合メディア（媒体）コンテンツの提示方法およびその方法を実行する提示システムに関する。
【背景技術】
【０００３】
（２、関連技術の説明）
オンライン・ビデオシェアリングは、Ｗｅｂ２．０の典型的なアプリケーションである。ムービートレーラー、ホームビデオなどのような各種のユーザ作成のビデオが、ビデオシェアリングウェブサイトを通して全世界の人々によりオンラインで観られる。
【０００４】
このような特徴のために、企業は、従来のメディアを通したプロモーションのために多額の支払いを行う代わりに、一般のビデオシェアリングウェブサイトを通してその製品の販促を行うことができる。
【０００５】
図１を参照すると、従来の宣伝モデルが、ユーザにより選択されたビデオ９１を表示するプレーヤースクリーンの下側にバナー広告９２を表示するように示されている。しかし、バナー広告９２は、通常ビデオ９１には似つかわしくなく、ビデオ９１のある部分（例えばサブタイトル）を覆うことになる。ユーザは、マニュアル処理で、バナー広告９２を閉じる必要があり、そのために鑑賞経験に不利に影響する。宣伝は、人々の興味を刺激し、製品を求めるようにすべきであるが、上記の宣伝モデルは、ユーザがすぐにバナー広告９２を閉じてビデオ９１を見続けられるため、効果的でない。
【０００６】
他の従来の宣伝モデルは、ユーザにより選択されたビデオの再生の前にプレーヤーを使用する宣伝ビデオを提供する。宣伝ビデオはスキップできないが、ユーザは、宣伝ビデオを再生の間何か他のことを行うように選択でき、期待された宣伝効果は達成できない。
【０００７】
中国特許公開第１３５０２４０Ａは、ビデオシェアリングウェブサイト内で使用する宣伝方法を開示している。そこに開示された方法は、表示される宣伝ビデオの数に応じて、ユーザ選択のビデオをいくつかの部分に分割することを教示している。そして、表示される宣伝ビデオはユーザ選択ビデオの部分の間に挿入される。
【０００８】
上記の宣伝モデルは、宣伝がユーザが観るビデオに対して通常は似つかわしくなく、鑑賞経験に不利な印象を有するため、ユーザの興味を引き付ける上で効果的でない。
【先行技術文献】
【特許文献】
【０００９】
【特許文献１】中国特許公開第１３５０２４０Ａ
【発明の概要】
【発明が解決しようとする課題】
【００１０】
したがって、本発明の目的は、従来技術の上記の欠点を解決する、複合メディアコンテンツを提示する方法を提供することである。
【課題を解決するための手段】
【００１１】
本発明の第１の態様によれば、複合メディアコンテンツを提示する方法は、ネットワークを介してクライアント電子デバイスに接続された提示システムにより実行される。この方法は、クライアント電子デバイスからの第１メディアコンテンツを経験するためのリクエストに応じて、提示システムにより、ネットワークを介してクライアント電子デバイスに提供するウェブページデータを生成するステップにより特徴づけられる。
【００１２】
ウェブページデータは、
クライアント電子デバイスが第１メディアコンテンツを再生するように構成するプログラムインストラクションを含む第１メディアプレゼンテーション・インターフェースと、
クライアント電子デバイスが、第１メディアコンテンツと所定の対応を有する第２メディアコンテンツを提供するように構成するプログラムインストラクションを含む第２メディアプレゼンテーション・インターフェースと、を含む。
【００１３】
第２メディアプレゼンテーション・インターフェースのプログラムインストラクションは、さらに、クライアント電子デバイスによる第１メディアコンテンツの再生中に所定の時点に到達した時に、クライアント電子デバイスが、第２メディアコンテンツを提供するように構成する。
【００１４】
本発明の別の目的は、複合メディアコンテンツを提示する提示システムを提供することである。
【００１５】
本発明の第２の態様によれば、提示システムは、
ネットワークを介してクライアント電子デバイスに接続するための送信モジュールと、
クライアント電子デバイスからの第１メディアコンテンツを経験するためのリクエストの送信モジュールを介した受信に応答して、ネットワークを介して且つ送信モジュールを通して、クライアント電子デバイスに提供するウェブページデータを生成する処理モジュールと、
ウェブページデータを記憶する記憶媒体と、を備える。
【００１６】
ウェブページデータは、
クライアント電子デバイスが第１メディアコンテンツを再生するように構成するプログラムインストラクションを含む第１メディアプレゼンテーション・インターフェースと、
クライアント電子デバイスが、第１メディアコンテンツと所定の対応を有する第２メディアコンテンツを提供するように構成するプログラムインストラクションを含む第２メディアプレゼンテーション・インターフェースと、を含む。
【００１７】
第２メディアプレゼンテーション・インターフェースのプログラムインストラクションは、さらに、クライアント電子デバイスによる第１メディアコンテンツの再生中に所定の時点に到達した時に、クライアント電子デバイスが、第２メディアコンテンツを提供するように構成する。
【００１８】
本発明の他の特徴および利点は、付属の図面を参照した好適な実施形態の以下の詳細な説明で明らかになるであろう。
【図面の簡単な説明】
【００１９】
【図１】図１は、ビデオシェアリングウェブサイトで使用される従来の宣伝モデルを示す概略図である。
【図２】図２は、本発明の提示システムにより実現される方法に含まれるデバイス間の関係を示す図である。
【図３】図３は、本発明の提示システムの好適な実施形態を示すブロック図である。
【図４】図４は、編集電子デバイスに設けられた電子セットアップページを示す概略図である。
【図５】図５は、本発明の複合メディアコンテンツの準備方法のステップを示すフローチャートである。
【図６】図６は、双方向である複合メディアコンテンツを提示する方法のステップを示すフローチャートである。
【図７】図７は、複合メディアコンテンツの再生を示す概略図である。
【発明を実施するための形態】
【００２０】
図２を参照すると、本発明の複合メディアコンテンツ５を提示する提示システムの好適な実施形態は、ネットワーク４を介して相互に通信する編集電子デバイス１、サーバ２、およびクライアント電子デバイス３を含むクラウドコンピューティングを使用することで実現されるように示される。複合メディアコンテンツ５は、第１メディアコンテンツ５１と、第２メディアコンテンツ５２と、を有する。この実施形態において、第２メディアコンテンツ５２は、第１メディアコンテンツ５１に対して所定の対応を有する宣伝コンテンツメディアである。編集電子デバイス１とクライアント電子デバイス３のそれぞれは、ノートブックコンピュータ、タブレットコンピュータまたはタッチコンピュータのようなコンピュータデバイス、またはスマートフォンまたはパーソナルデジタルアシスタントデバイスのような携帯通信デバイスであればよい。ネットワーク４は、インターネットまたはイントラネットのいずれかであればよい。図３を参照すると、本実施形態では、提示システムは、送信モジュール３１、編集モジュール３２、レイアウトセッティングモジュール３３、許可モジュール３４、処理モジュール３５および記憶媒体３６を有し、提示システムにアクセス可能であるサーバ２である。
【００２１】
送信モジュール３１は、編集電子デバイス１およびクライアント電子デバイス３とのネットワーク４を介してのデータ送信に使用される。この実施形態では、送信モジュール３１は、ＸＭＬ(Extensible Markup Language)、ＰＨＰ(Personal Home Page)ツール、またはＡＳＰ(active server pages)またはＡＳＰ．ＮＥＴのようなウェブソケット技術を利用し、提示システムにより生成された電子セットアップページを、コンテンツプロバイダによりセットアップデータの入力のための編集電子デバイス１に提供し、そして提示システムにより生成されたウェブページデータを、複合メディアコンテンツ５のプレゼンテーションのためのクライアント電子デバイス３に提供する。第１メディアコンテンツ５１は、ウェブサイトリンクを介してアクセス可能なローカル動画ビデオファイルまたは動画ビデオである第１メディアコンテンツアイテムから供給される。第２メディアコンテンツ５２は、静止画、動画、ウェブページ、テキストまたはそれらの組み合わせを含む１つまたは複数の第２メディアコンテンツアイテムから供給される。
【００２２】
図４は、電子セットアップページを示す概略図である。編集モジュール３２は、電子セットアップページの編集可能プロパティフィールドセット３２０内に入力されたセットアップデータにしたがって、複合メディアコンテンツ５のプロパティ(Properties)をセットする。プロパティフィールドセット３２０は、少なくとも第１メディアコンテンツアイテムのファイルパス(File Path)、および第２メディアコンテンツアイテムの情報を有する。第１メディアコンテンツアイテムのファイルパスは、編集電子デバイス１または記憶媒体３６内のファイル位置に向けられる。記憶媒体３６は、ネットワーク４を介してアクセス可能なビデオシェアリングプラットフォームであるＹｏｕｔｕｂｅ（ユーチューブ）、Ｔｕｄｏｕ、ＹｏｕｋｕまたはＰＰＳである。この実施形態では、電子セットアップページのプロパティフィールドセット３２０は、第１メディアコンテンツ５１を特定するための第１メディアコンテンツ５１に関係する編集可能第１情報フィールドセット３２１、第２メディアコンテンツ５２を特定し且つ第１メディアコンテンツ５１の再生中に第２メディアコンテンツ５２を提供する時点を定義するための第２メディアコンテンツ５２に関係する編集可能第２情報フィールドセット３２２、および第１メディアコンテンツ５１を再生するためのプレビュープレイヤーインターフェース３２３を有する。詳細には、第１情報フィールドセット３２１は、ファイルパス(File Path)フィールド、シリアルコードフィールド、ジャンル(Genre)フィールド、タイトル(Title)フィールド、要約(Abstract)フィールドおよびキーボードフィールドの少なくとも１つを有する。第２情報フィールドセット３２２は、ファイルパスフィールド、時点フィールド、製品名フィールド、製品紹介フィールド、製品価格フィールド、製品成分フィールド、および製品量フィールドの少なくとも１つを有する。セットアップデータは、電子セットアップページを介して提示システムにより受信される。
【００２３】
電子セットアップページを通して、第１メディアコンテンツアイテム５１に対して所定の対応を有する第２メディアコンテンツ５２は、第１メディアコンテンツ５１の再生中に規定された時点で表示されるようにセットされる。例えば、ドレスの宣伝（第２メディアコンテンツ５２）を、第１メディアコンテンツ５１の再生中の８秒目に提供することが意図されるならば、ドレスの宣伝が位置する（例えば、図４で”Ｄ：＼＊．＊”で示す）ファイルパスが、第２情報フィールドセット３２２の１つのスロットに入力され、ドレスの宣伝を提供することを意図した（例えば、図４で”００：０８”で示す）時点が、ドレスの宣伝に対応する第２情報フィールドセット３２２の別のスロットに入力される。
【００２４】
レイアウトセッティングモジュール３３は、電子セットアップページの編集可能レイアウトフィールドセット３３０内に入力されたセットアップデータにしたがって、複合メディアコンテンツ５のレイアウトをセットする。レイアウトフィールドセット３３０は、クライアント電子デバイス３により再生された時には第１メディアコンテンツ５１の相対的な表示位置を、クライアント電子デバイス３により提供された時には第２メディアコンテンツ５２の相対的な表示位置を定義するのに使用される。例えば、第１メディアコンテンツ５１および第２メディアコンテンツ５２は、セットアップデータにしたがって、レイアウトセッティングモジュール３３により望まれた水平または垂直配置で表示されるようにセットされる。
【００２５】
さらに、第２メディアコンテンツ５２が個別メディアコンテンツを有する時、個別メディアコンテンツの表示方法は、電子セットアップページ内にセットされ、レイアウトセッティングモジュール３３は、それにしたがって表示方法をアレンジする。例えば、個別メディアコンテンツのそれぞれは、第２情報フィールドセット３２２内で定義されている第１メディアコンテンツ５１の再生中に規定された時点を有する。１つの実施形態では、個別メディアコンテンツは、それぞれの規定された時点にしたがってサムネイル形式で順に提供される。他の実施形態では、個別メディアコンテンツは、それぞれの規定された時点にしたがって順番に提供され、一度には１つの個別メディアコンテンツの１つのみが提供される。
【００２６】
許可モジュール３４は、電子セットアップページ内の編集可能許可フィールドセット３４０内に入力されたセットアップデータにしたがって、複合メディアコンテンツ５の許可条件をセットする。許可フィールドセット３４０は、サーチ許可、プライバシィ許可、またはメッセージ許可を有し、サーチ許可は複合メディアコンテンツがサーチエンジンによりサーチしてよいかを決定するのに使用され、プライバシィ許可は複合メディアコンテンツが隠されるか否かを決定するのに使用され、メッセージ許可は観る人が複合メディアコンテンツにコメントまたはメッセージを残すか否かを決定するのに使用される。１つの実施形態では、許可フィールドセット３４０は、ユーザアカウントおよびパスワードを有する。提示システムは、ユーザアカウントおよびパスワードに関連する確認にしたがって、複合メディアコンテンツ５の所有権がどの電子デバイスに属するか決定する。
【００２７】
処理モジュール３５は、複合メディアコンテンツ５を提供するために、第１メディアコンテンツ５１および第２メディアコンテンツ５２に関係するセットアップデータのための編集可能レイアウトフィールドセット３３１内のデータにしたがって、第１メディアコンテンツ５１および第２メディアコンテンツ５２をマージすることにより、ウェブページデータを生成する。詳細には、処理モジュール３５は、セットアップデータに基づいて第１メディアコンテンツアイテムおよび第２メディアコンテンツアイテムをマージすることにより、複合メディアコンテンツアイテムを生成し、それにしたがってウェブページデータを生成する。
【００２８】
ウェブページデータは、第１メディアプレゼンテーション・インターフェースおよび第２メディアプレゼンテーション・インターフェースを有する。第１メディアプレゼンテーション・インターフェースは、クライアント電子デバイス３が複合メディアコンテンツアイテムから第１メディアコンテンツ５１を再生するように構成するプログラムインストラクションを有する。第２メディアプレゼンテーション・インターフェースは、クライアント電子デバイス３が複合メディアコンテンツアイテムから第２メディアコンテンツ５２を提供するように構成するプログラムインストラクションを有する。ここで注目すべきことは、第２メディアプレゼンテーション・インターフェースのプログラムインストラクションは、さらに、クライアント電子デバイス３による第１メディアコンテンツ５１の再生中にセットアップデータで定義した時点になった時に、クライアント電子デバイス３が第２メディアコンテンツ５２を提供するように構成することである。
【００２９】
記憶媒体３６は、複合メディアコンテンツを記憶するように適合されている。本実施形態では、記憶媒体３６は、クラウドストレージ技術を採用している。
【００３０】
図５は、複合メディアコンテンツを提示する準備ステップを示すフローチャートである。
【００３１】
ステップ７１では、送信モジュール３１は、ネットワーク４を介して編集電子デバイス１とデータ送信可能になっている（図２参照）。詳細には、送信モジュール３１は、提示システムにより生成された電子セットアップページを編集電子デバイス１に提供し、電子セットアップページを介して入力されたセットアップデータを受信する。電子セットアップページは、編集電子デバイス１によりアクセスされたウェブページに組み込まれたネットワークアプリケーションを使用して生成される。
【００３２】
ステップ７２では、編集モジュール３２は、電子セットアップページの編集可能プロパティフィールドセット３２０内に入力されたセットアップデータにしたがって、複合メディアコンテンツ５のプロパティをセットする。
【００３３】
ステップ７３では、レイアウトセッティングモジュール３３は、電子セットアップページの編集可能レイアウトフィールドセット３３０内に入力されたセットアップデータにしたがって、複合メディアコンテンツ５のレイアウトをセットする。
【００３４】
ステップ７４では、許可モジュール３４は、電子セットアップページの編集可能許可フィールドセット３４０内に入力されたセットアップデータにしたがって、複合メディアコンテンツ５の許可条件をセットする。
【００３５】
ステップ７５では、送信モジュール３１は、第２情報フィールドセット３２２内に入力されたファイルパスにしたがって、第２メディアコンテンツアイテムを受信する。１つの実施形態では、送信モジュール３１は、第１情報フィールドセット３２１内に入力されたファイルパスにしたがって、第１メディアコンテンツアイテムも受信する。
【００３６】
ステップ７６では、処理モジュール３５は、第２情報フィールドセット３２２内に入力された時点にしたがって、第２メディアコンテンツアイテムのプレビューイメージを順に表示するように編集電子デバイス１を構成する。この実施形態では、第２メディアコンテンツアイテムのプレビューイメージは、第２メディアコンテンツ５２内に含まれるイメージコンテンツ５２１である（図２および図７参照）。
【００３７】
ステップ７７では、処理モジュール３５は、第１メディアコンテンツ５１の再生中に、編集電子デバイス１が第２メディアコンテンツアイテムのプレビューイメージの表示順を変更するのを許可する。この実施形態では、編集電子デバイス１に示されたプレビューイメージの位置は、第２メディアコンテンツアイテムのプレビューイメージの表示順を変更するため、コンテンツプロバイダにより直接移動される。
【００３８】
ステップ７８では、処理モジュール３５は、電子セットアップページを通して、第２メディアコンテンツアイテムの変更（例えば、第２メディアコンテンツアイテムにさらにアイテムを追加する、または第２メディアコンテンツアイテムからアイテムを削除する）が必要であるか確認する。フローは、変更が必要な時にはステップ７５行き、他の場合にはステップ７９に行く。
【００３９】
ステップ７９では、処理モジュール３５は、第１メディアコンテンツ５１および第２メディアコンテンツ５２に関係するセットアップデータにしたがって、第１メディアコンテンツアイテムおよび第２メディアコンテンツアイテムをマージすることにより、複合メディアコンテンツを生成する。この実施形態では、セットアップデータは、ステップ７７で決定した表示順、ステップ７４でセットした許可条件、ステップ７３でセットしたレイアウトおよびステップ７２でセットしたプロパティを有する。
【００４０】
ステップ８０では、記憶媒体３６は、複合メディアコンテンツアイテムを記憶する。
【００４１】
図６は、複合メディアコンテンツ５を提供するステップを示すフローチャートである。
【００４２】
ステップ８１では、処理モジュール３５は、クライアント電子デバイス３と記憶媒体３６に接続するための第１メディアプレゼンテーションインターフェースおよび第２メディアプレゼンテーションインターフェースを生成し、複合メディアコンテンツアイテムを使用して複合メディアコンテンツ５を提供する。
【００４３】
ステップ８２で、処理モジュール３５は、クライアント電子デバイス３からのリクエストに応答して、第１メディアプレゼンテーションインターフェースを使用して第１メディアコンテンツ５１を提供し、第２メディアプレゼンテーションインターフェースを使用して第２メディアコンテンツ５２を提供する。この実施形態では、第２メディアコンテンツ５２は、サムネイル形式の第２メディアコンテンツアイテムのプレビューイメージを有する。
【００４４】
ここで注目すべきことは、プレビューイメージは、第１メディアコンテンツ５１の再生中にステップ７３でセットされた表示の方法で規定された時点で提供されるということである。ある例では、第１メディアコンテンツ５１が提供されている時、ドレスを着用した女優が８秒の時点でドアから歩き出て、女優は２１秒の時点でメガネをはずし、そしてネックレスを着けた女優のクローズアップの画面が３０秒の時点で提供される。したがって、ドレスのプレビューイメージ、メガネおよびネックレスは８秒の時点、２１秒の時点、および３０秒の時点でそれぞれ提供されるようにセットされる。１つの実施形態では、第２メディアコンテンツ５２は、８秒の時点でドレスのプレビューイメージのみを示し、２１秒の時点でメガネのプレビューイメージのみを示し、３０秒の時点でネックレスのプレビューイメージのみを示す。他の実施形態では、第２メディアコンテンツ５２は、８秒の時点でドレスのプレビューイメージを示し、２１秒の時点でドレスおよびメガネのプレビューイメージを示し、３０秒の時点でメガネおよびネックレスのプレビューイメージを示す。
【００４５】
ステップ８３で、処理モジュール３５は、クライアント電子デバイス３のイメージコンテンツを選択する（例えば、マウスまたはタッチパネルを使用して第２メディアコンテンツアイテムのプレビューイメージの１つを選択する）ユーザ操作に応答して、第２メディアコンテンツアイテムの対応する１つを含む情報ボックスおよびボタンを表示するように、クライアント電子デバイス３を構成する。情報ボックスは、リマークフレームまたはブラウザウインドウの形式で提供される。１つの実施形態では、第１メディアプレゼンテーションインターフェースは、クライアント電子デバイス３が情報ボックスを表示するように構成されている時に、第１メディアコンテンツ５１の再生を一時休止するインストラクションを有し、観る人が情報ボックス内に示されたコンテンツを読む時に第１メディアコンテンツ５１を経験するのを逃さないようにする。１つの実施形態では、処理モジュール３５は、クライアント電子デバイス３がセットアップデータで定義されたウェブページをアクセスするブラウザウインドウを開くように構成する。このようなデザインを通して、観る人は、彼または彼女が興味を引く製品の詳細情報を読むことができる。
【００４６】
ステップ８４では、処理モジュール３５は、観る人が情報ボックス内に含まれるボタンを介してステップ８３で選択した製品の購入に興味があるかについて、観る人に確認する。観る人からの肯定的な確認に応答して、フローはステップ８５に進む。そうでなければ、処理モジュール３５は、情報ボックスを閉じ、フローはステップ８２に戻る。
【００４７】
ステップ８５で、処理モジュール３５は、観る人がステップ８３で選択した製品を購入するのを可能にするための電子商取引プロセスを開始する。したがって、観る人は、ビデオを観るのを楽しむだけでなく、同時にショッピングも楽しむ。本発明を使用して、観る人が第１メディアコンテンツ５１内に現れる魅力的な製品を観ると、彼または彼女は、第２メディアコンテンツ５２から製品情報の詳細を直ぐに読み、続くｅコマースプロセスで製品を購入する。
【００４８】
要するに、本発明の複合メディアコンテンツの提示方法および提示システムは、以下のような利点を有する。
【００４９】
１．観る人が第１メディアコンテンツ５１内に現れる魅力的な製品を見ると、彼または彼女は、第２メディアコンテンツ５２から製品情報の詳細を直ぐに読み、そしてそれに続くｅコマースプロセスを通して、その製品を購入することができ、それによりプレースメントマーケティングの効果を上げることができる。
【００５０】
２．コンテンツプロバイダは、第１メディアコンテンツ５１および第２メディアコンテンツ５２のレイアウトを編集でき、複合メディアコンテンツ５を観る時の鑑賞経験を向上させられる。
【００５１】
３．コンテンツプロバイダは、編集電子デバイス１内に編集ツールをダウンロードまたはインストールしなくても、電子セットアップページを介してセットアップデータを入力することにより複合メディアコンテンツ５を容易に作れる。
【００５２】
４．観る人は、第１メディアコンテンツ５１に出現する対象物についてのより多くの情報を直ぐに得ることができる。この特徴は、本発明の適用フィールドを広げることができる。例えば、本発明は、ビジネス、プレゼンテーション、教育などでの使用にも適している。
【００５３】
以上、本発明をもっとも実際的と考えられること、すなわち好適な実施形態と関連付けて説明したが、本発明は開示の実施形態に限定されるものではなく、最大限に解釈される精神と範囲内に含まれる各種の例をカバーすることを意図しており、そのような変形例および同等の例をすべて含むものとする。
【誤訳訂正２】
【訂正対象書類名】特許請求の範囲
【訂正対象項目名】全文
【訂正方法】変更
【訂正の内容】
【特許請求の範囲】
【請求項１】
ネットワーク（４）を介してクライアント電子デバイス（３）に接続された提示システムにより実行される複合メディアコンテンツ（５）を提示する方法であって、
前記クライアント電子デバイス（３）からの第１メディアコンテンツ（５１）を経験するためのリクエストに応じて、前記提示システムにより、前記ネットワーク（４）を介して前記クライアント電子デバイス（３）に提供するウェブページデータを生成するステップにより特徴づけられ、
前記ウェブページデータは、
前記クライアント電子デバイス（３）が前記第１メディアコンテンツ（５１）を再生するように構成するプログラムインストラクションを含む第１メディアプレゼンテーション・インターフェースと、
前記クライアント電子デバイス（３）が、前記第１メディアコンテンツ（５１）と所定の対応を有する第２メディアコンテンツ（５２）を提供するように構成するプログラムインストラクションを含む第２メディアプレゼンテーション・インターフェースと、を含み、
前記第２メディアプレゼンテーション・インターフェースの前記プログラムインストラクションは、さらに、前記クライアント電子デバイス（３）による前記第１メディアコンテンツ（５１）の再生中に所定の時点に到達した時に、前記クライアント電子デバイス（３）が、前記第２メディアコンテンツ（５２）を提供するように構成され、
前記第１メディアコンテンツ（５１）および前記第２メディアコンテンツ（５２）は、前記クライアント電子デバイス（３）に同時に分離して表示される方法。
【請求項２】
前記第２メディアコンテンツ（５２）は、イメージコンテンツ（５２１）を含み、
前記第２メディアプレゼンテーション・インターフェースの前記プログラムインストラクションは、さらに、前記クライアント電子デバイス（３）が、前記イメージコンテンツ（５２１）を選択する前記クライアント電子デバイス（３）のユーザ操作に応答して、
所定のコンテンツを有する情報ボックスを表示すること、および
所定のウェブページをアクセスするブラウザウインドウを開くこと、から選択した処理を実行するように構成することを特徴とする請求項１に記載の方法。
【請求項３】
前記第２メディアコンテンツ（５２）は、イメージコンテンツ（５２１）を含み、
前記第２メディアプレゼンテーション・インターフェースの前記プログラムインストラクションは、さらに、前記クライアント電子デバイス（３）が、前記イメージコンテンツ（５２１）を選択する前記クライアント電子デバイス（３）のユーザ操作に応答して、ボタンを含む所定のコンテンツを有する情報ボックスを表示し、そして、前記クライアント電子デバイス（３）の前記ボタンをトリガするユーザ操作に応答して、所定のウェブページをアクセスするブラウザウインドウを開くように構成することを特徴とする請求項１に記載の方法。
【請求項４】
前記第２メディアコンテンツ（５２）は、前記クライアント電子デバイス（３）による前記第１メディアコンテンツ（５１）の再生の所定の時点にそれぞれに関係する個別メディアコンテンツを含み、そして、個別メディアコンテンツは、前記所定の時点にそれぞれに対応するサムネイルの形式で順次提供されることを特徴とする請求項１から３のいずれか１項に記載の方法。
【請求項５】
前記第２メディアコンテンツ（５２）は、前記クライアント電子デバイス（３）による前記第１メディアコンテンツ（５１）の再生の所定の時点にそれぞれに関係する個別メディアコンテンツを含み、個別メディアコンテンツは、前記所定の時点にそれぞれに対応して順次提供され、そしてある時には前記個別メディアコンテンツの１つのみが提供されることを特徴とする請求項１から３のいずれか１項に記載の方法。
【請求項６】
前記第１メディアコンテンツ（５１）および前記第２メディアコンテンツ（５２）に関係し、編集電子デバイス（１）により生成されたセットアップデータを、前記提示システムにより受信するステップによりさらに特徴づけられ、
前記セットアップデータは、前記第１メディアコンテンツ（５１）に関係するファイルパスおよび前記第２メディアコンテンツ（５２）に関係する情報を含む請求項１から５のいずれか１項に記載の方法。
【請求項７】
前記第１メディアコンテンツ（５１）に関係するファイルパスは、前記提示システムにアクセス可能な前記編集電子デバイス（１）および記憶媒体（３６）の一方に位置するファイルに向けられることを特徴とする請求項６に記載の方法。
【請求項８】
前記セットアップデータを受信するステップは、
前記提示システムにより、前記ネットワーク（４）を介して前記編集電子デバイス（１）に提供される電子セットアップページを生成し、前記セットアップデータは前記電子セットアップページを介して前記提示システムにより受信されることを、有し、
前記電子セットアップページは、
前記第１メディアコンテンツ（５１）を特定するように、前記第１メディアコンテンツ（５１）に関係する編集可能な第１情報フィールドセット（３２１）、および
前記第２メディアコンテンツ（５２）を特定すると共に前記第２メディアコンテンツ（５２）を提供する前記所定の時点を定義する前記第２メディアコンテンツ（５２）に関係する編集可能な第２情報フィールドセット（３２２）を含むことを特徴とする請求項６または７に記載の方法。
【請求項９】
前記電子セットアップページは、前記第１メディアコンテンツ（５１）を再生するためのプレビュープレイヤーインターフェース（３２３）をさらに有することを特徴とする請求項８に記載の方法。
【請求項１０】
前記提示システムは、前記第１メディアコンテンツ（５１）および前記第２メディアコンテンツ（５２）に関係する前記セットアップデータにしたがって、前記第１メディアコンテンツ（５１）および前記第２メディアコンテンツ（５２）をマージすることにより前記ウェブページデータを生成し、
前記電子セットアップページは、編集可能なレイアウトフィールドセット（３３０）をさらに有し、前記提示システムは、前記第１メディアコンテンツ（５１）および前記第２メディアコンテンツ（５２）に関係する前記セットアップデータの前記編集可能なレイアウトフィールドセット（３３０）内のデータにしたがって、前記第１メディアコンテンツ（５１）および前記第２メディアコンテンツ（５２）をマージして、前記ウェブページデータを生成し、そして
前記編集可能なレイアウトフィールドセット（３３０）は、前記クライアント電子デバイス（３）により再生される時の前記第１メディアコンテンツ（５１）および前記クライアント電子デバイス（３）により提供される時の前記第２メディアコンテンツ（５２）の相対的な表示位置を定義するのに使用されることを特徴とする請求項８または９に記載の方法。
【請求項１１】
前記編集可能な第１情報フィールドセット（３２１）は、ファイルパスフィールド、シリアルコードフィールド、ジャンルフィールド、タイトルフィールド、要約フィールドおよびキーボードフィールドの少なくとも１つを有することを特徴とする請求項８から１０のいずれか１項に記載の方法。
【請求項１２】
前記第２メディアコンテンツ（５２）は、宣伝コンテンツであり、前記編集可能な第２情報フィールドセット（３２２）は、ファイルパスフィールド、時点フィールド、製品名フィールド、製品紹介フィールド、製品価格フィールド、製品成分フィールド、および製品量フィールドの少なくとも１つを有し、
前記第２メディアコンテンツ（５２）は、イメージコンテンツを有し、前記第２メディアプレゼンテーション・インターフェースのプログラムインストラクションは、前記クライアント電子デバイス（３）が、前記クライアント電子デバイス（３）の前記イメージコンテンツを選択するユーザ操作に応答して、前記編集可能な第２情報フィールドセット（３２２）内に満たされた、前記第１メディアコンテンツ（５１）および前記第２メディアコンテンツ（５２）に関係する前記セットアップデータのための情報ボックスに含まれる情報を表示するようにさらに構成することを特徴とする請求項８から１１のいずれか１項に記載の方法。
【請求項１３】
前記セットアップデータは、サーチ許可、プライバシィ許可、およびメッセージ許可から選択された少なくとも１つの許可条件を含むことを特徴とする請求項６から１２のいずれか１項に記載の方法。
【請求項１４】
前記提示システムにより、前記複合メディアコンテンツ（５）を提示するための前記第１メディアコンテンツ（５１）および前記第２メディアコンテンツ（５２）に関係するデータを、記憶するステップによりさらに特徴づけられる請求項１から１３のいずれか１項に記載の方法。
【請求項１５】
複合メディアコンテンツ（５）を提示する提示システムであって、
ネットワーク（４）を介してクライアント電子デバイス（３）へのデータ送信のための送信モジュール（３１）と、
前記クライアント電子デバイス（３）からの第１メディアコンテンツ（５１）を経験するためのリクエストの前記送信モジュール（３１）を介した受信に応答して、前記ネットワーク（４）を介して且つ前記送信モジュール（３１）を通して、前記クライアント電子デバイス（３）に提供するウェブページデータを生成する処理モジュール（３５）と、
前記複合メディアコンテンツ（５）を提示するための第１メディアコンテンツ（５１）および第２メディアコンテンツ（５２）に関係するデータを記憶する記憶媒体（３６）と、を備え、
前記ウェブページデータは、
前記クライアント電子デバイス（３）が前記第１メディアコンテンツ（５１）を再生するように構成するプログラムインストラクションを含む第１メディアプレゼンテーション・インターフェースと、
前記クライアント電子デバイス（３）が、前記第１メディアコンテンツ（５１）と所定の対応を有する第２メディアコンテンツ（５２）を提供するように構成するプログラムインストラクションを含む第２メディアプレゼンテーション・インターフェースと、を含み、
前記第２メディアプレゼンテーション・インターフェースの前記プログラムインストラクションは、さらに、前記クライアント電子デバイス（３）による前記第１メディアコンテンツ（５１）の再生中に所定の時点に到達した時に、前記クライアント電子デバイス（３）が、前記第２メディアコンテンツ（５２）を提供するように構成され、
前記第１メディアコンテンツ（５１）および前記第２メディアコンテンツ（５２）は、前記クライアント電子デバイス（３）に同時に分離して表示されるシステム。